(57)【特許請求の範囲】
【請求項１】
給水源から供給された水を、各々に開閉弁を設けた医療器具に導出するための給水管路を本体部に内蔵し、かつ消毒液を貯留した消毒液タンクを備えた医療機器において、
上記給水管路は、切替制御弁を備えるとともに、少なくとも１以上の医療器具に接続された給水枝管路部と、消毒液タンクと給水枝管路部を接続した消毒液注入管路と、途中に開閉弁を設け消毒液タンクに接続された消毒液すすぎ管路とを備えており、
上記切替制御弁は、上記給水源を、上記給水枝管路部と、上記消毒液すすぎ管路とに切替接続する構造とした給水管路の消毒洗浄機能を備えた医療機器。
【請求項２】
請求項１において、
上記切替制御弁の入力ポートはフィルタを介して給水源に通じており、上記切替制御弁の出力ポートの一方は、上記給水枝管路部に通じており、その給水枝管路部には上記消毒液注入管路に通じる分岐が設けられている給水管路の消毒洗浄機能を備えた医療機器。
【請求項３】
請求項１又は２において、
消毒洗浄指令スイッチと、
この洗浄指令スイッチが操作されることによって作動され、給水管路に設けられた給水元バルブ、各種医療器具に割り当てて配設した開閉弁、前記切替制御弁、消毒液タンクのポンプなどのそれぞれの制御要素を、予め準備された消毒洗浄のためのシーケンスプログラムに従って、タイマ監視下のもとで順次制御するシーケンサと、
このシーケンサが稼動されて、消毒洗浄が行われている間は、消毒洗浄実行中を報知し、終了時には、その終了の報知を自動的に行う報知手段とを更に備えたことを特徴とする給水管路の消毒洗浄機能を備えた医療機器。
【請求項４】
請求項３において、
上記シーケンサが消毒洗浄制御を実行中は、治療椅子、治療器具の操作スイッチが操作されても無効にする、セーフティ回路を更に備えたことを特徴とする給水管路の消毒洗浄機能を備えた医療機器。
【請求項５】
請求項３において、
上記シーケンサが消毒洗浄制御を実行する際には、治療椅子を初期位置に復帰させ、その状態でロックするセーフティロック回路を更に備えたことを特徴とする給水管路の消毒洗浄機能を備えた医療機器。
【請求項６】
請求項３において、
上記シーケンサは、消毒洗浄指令スイッチが操作されたときには、治療椅子の位置を判別し、治療椅子が初期位置以外にあるときには、警報を出力する椅子位置自動監視回路を、更に設けたことを特徴とする給水管路の消毒洗浄機能を備えた医療機器。
【請求項７】
請求項３において、
上記シーケンサは、消毒洗浄のための一連のシーケンス制御が終了したときには、確認スイッチが操作されるまでは、所定時間の間、報知ブザーを鳴動させる構成としたことを特徴とする給水管路の消毒洗浄機能を備えた医療機器。
【請求項８】
給水源から供給された水を、各々に開閉弁を設けた医療器具に導出するための給水管路を内蔵させた本体部に、消毒液ユニットを着脱可能に取り付けできるようにした医療機器であって、
上記本体部は、上記給水管路のうち、少なくとも１以上の医療器具に接続した給水枝管路部と給水源との途中に連結継手を設け、
上記消毒液ユニットは、消毒液を貯留した消毒液タンクと、消毒液タンクに通じポンプ手段と消毒液注出口とを設けた消毒液注入管路と、消毒液タンクに通じ開閉弁と入水口とを設けた入水管路とを備えており、消毒時には、上記本体部の連結継手の連結を解除し、その連結継手の給水源側に上記消毒液ユニットの入水口を接続し、その連結継手の給水枝管路部側に上記消毒液ユニットの消毒液注出口を接続するようにしている給水管路の消毒洗浄機能を備えた医療機器。
【請求項９】
給水源から供給された水を、各々に開閉弁を設けた医療器具に導出するための給水管路を内蔵させた本体部に、消毒液ユニットを着脱可能に取り付けできるようにした医療機器であって、
上記本体部は、上記給水管路のうち、少なくとも１以上の医療器具に接続した給水枝管路部と給水源との途中に連結継手を設け、
上記消毒液ユニットは、消毒液を貯留した消毒液タンクと、消毒液タンクに通じポンプ手段と消毒液注出口とを設けた消毒液注入管路と、その消毒液注入管路に通じ開閉弁と入水口とを設けた入水管路とを備えており、
消毒時には、上記本体部の連結継手の連結を解除し、その連結継手の給水源側に上記消毒液ユニットの入水口を接続し、その連結継手の給水枝管路部側に上記消毒液ユニットの消毒液注出口を接続するようにしている給水管路の消毒洗浄機能を備えた医療機器。
【請求項１０】
請求項８又は９において、
上記本体部の連結継手、上記消毒液ユニットの入水口及び消毒液注出口、上記消毒液ユニットの連結継手のそれぞれには、逆流防止弁が設けられていることを特徴とする給水管路の消毒洗浄機能を備えた医療機器。
【請求項１１】
請求項８〜１０のいずれかにおいて、
上記本体部の連結継手、上記消毒液ユニットの入水口及び消毒液注出口、上記消毒液ユニットの連結継手のそれぞれは、ワンタッチ継手であることを特徴とする給水管路の消毒洗浄機能を備えた医療機器。
【請求項１２】
請求項８〜１１のいずれかにおいて、
上記消毒液ユニットが、運搬可能なものであることを特徴とする給水管路の消毒洗浄機能を備えた医療機器。
【請求項１３】
請求項１〜１２のいずれかにおいて、上記消毒液として、次亜塩素酸ナトリウムを用いることを特徴とする給水管路の消毒洗浄機能を備えた医療機器。
【発明の詳細な説明】
【０００１】
【発明の属する技術分野】
本発明は、歯科用医療機器によって代表される、清浄水を噴射、放出などさせる医療器具を備えた医療機器であって、特に、医療器具の給水管路を自動で消毒洗浄する機能を備えたものに関する。
【０００２】
【従来の技術】
歯科用医療機器によって代表される、清浄水を噴射、放出などさせて治療をおこなう医療器具としては、たとえば水と空気を混合させたものを噴出させて口腔内を掃除する歯科用ハンドピースなどが知られているが、このような医療器具では、その給水管路は、その治療にもちいる水の長期滞留による菌の繁殖はもちろん、治療中の患者から感染菌が混入するバックサクションなどの問題がある。このため、給水管路は定期的に消毒をする必要がある。
【０００３】
そこで、従来より、給水管路を洗浄する種々の方法が提案されているが、特公平２−１４１１５号は、医療機器に消毒液タンクを備え、消毒時には、給水管路に合流している消毒液注入管路の開閉弁を開いて、消毒液タンクから消毒液を注入し、その後は、その開閉弁を閉じて一定時間管路に消毒液を滞留させた後に、通常の給水をして、すすぎ洗浄する殺菌方法を提案している。
【０００４】
しかしながら、このものでは、給水管路の消毒はできるが、消毒液注入管路は、常に給水管路に開口しているため、この部分から、消毒液が給水管路に混入するおそれがあり、また、注入用の開閉弁が誤動作した場合には、消毒液が給水管路に混入してしまう。
ところで、消毒液を給水管路内に注入するための消毒液注入管路は、高濃度の消毒液が滞留するので、消毒液により、管路の腐食を生じ、管路部材の機能低下、水漏れなどを生じる。そのため、定期的に消毒液注入管路の点検、交換などをする必要がり、保守が面倒でコストアップの要因となっていた。
【０００５】
また、使用後の消毒液を含んだ排水は、消毒液がまだ高い濃度で含まれているので、そのまま、排水管路に流したのでは、排水管路を損傷することもあった。さらに、濃度の高い消毒液を用いて消毒洗浄中に、関係のない機器が作動して消毒対象の医療器具などが所定の位置から脱落したりすると、消毒液が漏れ出して環境を汚染したり、不用意に回りの医療器具を損傷したりすることがあり、また、消毒洗浄が完全に終了していないのに、終了したと判断して、通常使用状態に入り、消毒液が混入したまま給水をしてしまうおそれもあった。
【０００６】
また、消毒液タンクや消毒のための機器類を含む消毒液ユニットは、その設置のために一定の設置場所あるいは空間を必要とし、そのため、医療機器全体が、この消毒液ユニットを設置するために、余分の場所あるいは空間を要し、同時にコストアップの要因ともなっていた。一方、医療機器の消毒洗浄は、それほど頻繁に行う必要はなく、また、一回の消毒洗浄時間は、短いものであるので、医療機器全体の動作時間に対する消毒洗浄のための占有時間は少なく、必ずしも、消毒液ユニットを医療機器ごとに専用に設ける必要も少なかったので、その面での改善が望まれていた。
【０００７】
これらの観点から、この種の医療機器では、給水管路の消毒が簡易な方法で完全にでき、また、消毒後は、給水管路を清浄水で十分にすすぎ洗浄できる消毒洗浄方法が望まれていた。
【０００８】
【発明が解決しようとする課題】
本発明は、このような事情に鑑みてなされたもので、第１に、医療器具への給水管路の消毒が簡易かつ完全にでき、残留消毒液で給水管路系を損傷することのない、また、誤動作の場合でも消毒液の混入のない、給水管路の消毒洗浄機能を備えた医療機器を提供することを目的としている。
【０００９】
第２に、使用後の消毒液を排出しても、排水管路などを損傷することがない給水管路の消毒洗浄機能を備えた医療機器を提供することを目的としている。
第３に、消毒洗浄中に床面や医療器具を汚すことのない、また、消毒洗浄の終了前の通常の給水などを防止できる、安全性の高い給水管路の消毒洗浄機能を備えた医療機器を提供することを目的としている。
【００１０】
第４に、消毒液タンクなどの設置場所などを節約でき、消毒洗浄のためのコストを安くすることができる給水管路の消毒洗浄機能を備えた医療機器を提供することを目的としている。
【００１１】
【課題を解決するための手段】
請求項１、２においては、消毒液タンクなどが、医療機器本体部に組みこまれた、給水管路の消毒洗浄機能を備えた医療機器を提案している。請求項１に記載の給水管路の消毒洗浄機能を備えた医療機器は、給水源から供給された水を、各々に開閉弁を設けた医療器具に導出するための給水管路を本体部に内蔵し、かつ消毒液を貯留した消毒液タンクを備え、上記給水管路は、切替制御弁を備えるとともに、少なくとも１以上の医療器具に接続された給水枝管路部と、消毒液タンクと給水枝管路部を接続した消毒液注入管路と、途中に開閉弁を設け消毒液タンクに接続された消毒液すすぎ管路とを備えており、上記切替制御弁は、上記給水源を、上記給水枝管路部と、上記消毒液すすぎ管路とに切替接続する構造としている。
【００１２】
ここで、医療機器とは、水を用いて治療をする医療器具を有する医療機器の全てを含むもので、歯科用医療機器を始めとして、耳鼻咽喉科、産婦人科、泌尿器科、眼科などで用いられる医療機器が含まれるものである。
医療器具とは、治療のために少なくとも水を用いるものを全て含むもので、その水の用い方は問わない。例えば、清浄水や薬液などを治療のために噴射、放出するものなども含み、歯科用機器においては、このような医療器具としては、種々のハンドピース、エアータービンハンドピース、マイクロモータハンドピースや、スケーラ、スリーウエイシリンジなどが含まれる。また、それぞれの医療器具に通じる給水枝管路部には、開閉弁が設けられていることを原則とするが、使用する器具の種類によっては、開閉弁を設けないものもある。
【００１３】
給水枝管路部とは、切替制御弁から、それぞれの医療器具に至るまでの給水管路をいい、切替制御弁の出力である単一の給水路と、それから枝分かれして、それぞれの医療器具に至るまでの複数の給水路の双方を含む概念である。また、この給水枝管路部に接続される消毒液注入管路は、この枝分かれの前の部分、あるいは、後の部分のいずれに接続されるものであってもよい。また、給水管路、給水枝管路部などの管路には、いわゆるフレキシブルチューブなども含まれるものである。
【００１４】
この医療機器では、通常使用時において、切替制御弁は、給水枝管路部側にセットされており、給水源からの水は、給水枝管路部から、それぞれの開閉弁（以下、「給水開閉弁」という。）を有した医療器具に供給され、治療や処置が行われる。
消毒時には、まず、切替制御弁を消毒液すすぎ管路側に切替え、消毒液すすぎ管路の開閉弁（以下、「すすぎ開閉弁」という。）を閉じる。そして、消毒液注入管路に設けられたポンプを作動し、消毒液タンクに貯留された消毒液を消毒液注入管路を通じて、給水枝管路部に注入し、給水開閉弁を開き、それぞれの医療器具から消毒液が吐出するのを確認してポンプを停止し、給水枝管路部と各医療器具に消毒液が充填された状態で所定時間放置する。
【００１５】
ついで、ポンプを再度作動し、消毒液タンクの消毒液がなくなり、それぞれの医療器具から、消毒液が吐出し終わってから、切替制御弁を消毒液すすぎ管路側に切替保持したままで、すすぎ開閉弁を開き、更に給水開閉弁を開いて、給水源からの水を消毒液すすぎ管路に供給する。この状態で、給水は、消毒液タンクに貯留されるが、ポンプは作動させたままなので、その水は、消毒液注入管路を通って給水枝管路部へと供給されるので、消毒液タンク、消毒液注入管路もすすぎ洗浄され、さらに、給水枝管路部、それぞれの給水開閉弁と医療器具もすすぎ洗浄され、消毒液は、このすすぎ洗浄の水とともに排水される。
【００１６】
こうして、すすぎ洗浄終了後は、消毒液注入管路のポンプを停止し、すすぎ開閉弁を閉じてから、切替制御弁を給水枝管路側に切替え、給水開閉弁を必要に応じて開閉して、通常の治療や、処置が行われる。
このように本発明の医療機器によれば、医療器具と給水枝管路部の部分の消毒洗浄を完全に行うことができるとともに、その給水枝管路部などを消毒するために消毒液を注入する消毒液注入管路や消毒液タンクなどを含めて、消毒液の注入されたすべての管路がすすぎ洗浄できる。したがって、消毒後は、医療機器には、消毒液は一切残っておらず、通常の使用時に、誤動作などで、消毒液が給水に混入することがない。また、消毒液は、消毒に必要な時に、必要な時間だけ、管路系に注入、滞留するだけなので、管路系への消毒液の悪影響を最小限に抑えることができる。
【００１７】
この消毒洗浄機能を備えた医療機器は、一回の消毒でタンクの消毒液を使い切ってしまう場合に、好適に用いられる。
【００２２】
請求項２に記載の給水管路の消毒洗浄機能を備えた医療機器は、請求項１において、上記切替制御弁の入力ポートはフィルタを介して給水源に通じており、上記切替制御弁の出力ポートの一方は、上記給水枝管路部に通じており、その給水枝管路部には上記消毒液注入管路に通じる分岐が設けられている。
【００２３】
この医療機器では、給水源からの給水はフィルタを介して医療器具に供給され、一方、消毒液注入管路は、そのフィルタと切替制御弁を通過後の給水枝管路部に設けられた分岐に通じている。
したがって、通常使用時には、医療器具にはフィルタで浄化された清浄水が供給され、また、消毒時には、消毒液は、フィルタに影響を与えない部分の給水枝管路部に注入されるので、消毒液がフィルタを損傷することがない。
【００２４】
さらに、消毒液は、消毒液注入管路に設けられたポンプなどにより加圧供給されるので、重力を利用して自然落下で消毒液を供給するものなどに比べ、短時間で確実に消毒液が、消毒対象の給水枝管路部と医療器具に注入、充填される。また、消毒液の所定時間の滞留後は、給水源からの給水により、給水枝管路部と医療器具はすすぎ洗浄されるので、通常使用時に、患者に、消毒液の混入した水が供給されることがない。
請求項３から請求項７においては、請求項１に記載の医療機器において、更に、消毒洗浄時の安全性、事故回避性を高めるため、消毒洗浄について種々の制御をおこなうシーケンサを備えた給水管路の消毒洗浄機能を備えた医療機器を提案している。
【００２５】
請求項３に記載の給水管路の消毒洗浄機能を備えた医療機器は、請求項１又は２において、消毒洗浄指令スイッチと、この洗浄指令スイッチが操作されることによって作動され、給水管路に設けられた給水元バルブ、各種医療器具に割り当てて配設した開閉弁、前記切替制御弁、消毒液タンクのポンプなどのそれぞれの制御要素を、予め準備された消毒洗浄のためのシーケンスプログラムに従って、タイマ監視下のもとで順次制御するシーケンサと、このシーケンサが稼動されて、消毒洗浄が行われている間は、消毒洗浄実行中を報知し、終了時には、その終了の報知を自動的に行う報知手段とを更に備えたことを特徴とする。
【００２６】
消毒洗浄指令スイッチが入ると、シーケンサは、タイマ監視下のもとで、開閉弁、給水元弁などの給水制御機器、消毒液を注入するためのポンプ、切替制御弁などを、予め準備された消毒洗浄のシーケンスプログラムに従って、制御する。その概要については、すでに請求項１についての説明の中で述べた通りである。このように一連のプログラムに従って、制御を行うので、手順の抜け落ちや、順序の前後がなく、消毒洗浄の手順の安全性が高まる。
【００２７】
また、シーケンサが消毒洗浄を実行している間は、報知ランプが点滅など、また必要に応じてブザーを間欠鳴動するなどして、実行中を示し、終了すると、報知ランプが点灯、また、ブザーが異なる態様で鳴動などして終了を知らせる。
こうして、実行中に不必要な動作をすることを避けることができ、また、終了を確認してから、通常使用を始めることができる。
【００２８】
請求項４に記載の給水管路の消毒洗浄機能を備えた医療機器は、請求項４において、上記シーケンサが消毒洗浄制御を実行中は、治療椅子、治療器具の操作スイッチが操作されても無効にする、セーフティ回路を更に備えたことを特徴とする。
例えば、歯科用医療機器の場合は、消毒洗浄中に、治療椅子などが動くと、その動きで、消毒洗浄用に所定位置にセットされた医療器具などが脱落して、消毒液などが漏れ出し床面などを汚したりすることがある。このようなセーフティ回路を備えると、そのようなことを防ぐことができる。
【００２９】
請求項５に記載の給水管路の消毒洗浄機能を備えた医療機器は、請求項３において、上記シーケンサが消毒洗浄制御を実行する際には、治療椅子を初期位置に復帰させ、その状態でロックするセーフティロック回路を更に備えたことを特徴とする。
治療椅子は、消毒洗浄時には、初期位置に復帰され、その位置から動かなくなるので、安全性が高い。
【００３０】
請求項６に記載の給水管路の消毒洗浄機能を備えた医療機器は、請求項３において、上記シーケンサは、消毒洗浄指令スイッチが操作されたときには、治療椅子の位置を判別し、治療椅子が初期位置以外にあるときには、警報を出力する椅子位置自動監視回路を、更に設けたことを特徴とする。
治療椅子が、消毒洗浄に適した初期位置以外にあるときは、警報が出力されるので、安全性が高い。
【００３１】
請求項７に記載の給水管路の消毒洗浄機能を備えた医療機器は、請求項３において、上記シーケンサは、消毒洗浄のための一連のシーケンス制御が終了したときには、確認スイッチが操作されるまでは、所定時間の間、報知ブザーを鳴動させる構成としたことを特徴とする。
消毒洗浄の終了を確認するまでは、報知ブザーが鳴動し、終了確認を忘れることがないので、不用意に、通常の給水を開始することがなく、安全性が高い。
請求項８から請求項１３においては、請求項１に記載の医療機器に比べ、切替制御弁の替わりに連結継手を用い、消毒液タンクとポンプなどからなる消毒液ユニットを医療機器本体に着脱可能にした点で相違する、給水管路の消毒洗浄機能を備えた医療機器を提案している。
【００３２】
給水管路の消毒洗浄は、短時間でよく、消毒液ユニットは消毒洗浄時のみに使用されるので、１台の医療機器に必ずしも常時消毒液ユニットを接続しておく必要のないものである。したがって、一つの消毒液ユニットを、複数の医療機器本体に対して付け替えて使用するようにしても、多少の付け替えの手間は増えるが、消毒洗浄の支障になるようなことはない。
【００３３】
一方、このようにすることによって、医療機器本体には、消毒液タンクなどの設置場所を設ける必要がなく、医療機器本体を小型化でき、コストダウンにもなる。また、消毒洗浄時だけに使用する消毒液ユニットは、不使用時には、別の所に収納しておくことができ、邪魔にならない。
また、通常使用時には、消毒液ユニットは、医療機器本体からは完全に切り離されているので、誤動作などで、消毒液が給水管路に混入することを完全に避けることができる。
【００３４】
さらに、比較的に高価な切替制御弁が不要になり、替わりに安価な連結継手を用いることができるので、その点でもコストダウンとなる。
特に、請求項８に記載の給水管路の消毒洗浄機能を備えた医療機器は、給水源から供給された水を、各々に開閉弁を設けた医療器具に導出するための給水管路を内蔵させた本体部に、消毒液ユニットを着脱可能に取り付けできるようにした医療機器であって、上記本体部は、上記給水管路のうち、少なくとも１以上の医療器具に接続した給水枝管路部と給水源との途中に連結継手を設け、上記消毒液ユニットは、消毒液を貯留した消毒液タンクと、消毒液タンクに通じ、ポンプ手段と消毒液注出口とを設けた消毒液注入管路と、消毒液タンクに通じ開閉弁と入水口とを設けた入水管路を備えており、消毒時には、上記本体部の連結継手の連結を解除し、その連結継手の給水源側に上記消毒液ユニットの入水口を接続し、その連結継手の給水枝管路部側に上記消毒液ユニットの消毒液注入口を接続するようにしている。
【００３５】
請求項１の医療機器に比べ、医療機器本体側では、切替制御弁のかわりに連結継手を用いて、給水源と給水枝管路部とを接続しており、通常使用時には、このままの状態で、それぞれの医療器具に給水している。一方、この医療機器では、医療機器本体に着脱可能な消毒液ユニットを有しており、その消毒液ユニットからは、請求項１の消毒液すすぎ管路に相当する入水管路の入水口と、消毒液注入管路の消毒液注出口とが導出している。
【００３６】
消毒洗浄時には、本体側の連結継手の連結を解除すると、自動的に、給水源から給水枝管路部への接続は解除される。その後、この解除された連結継手の給水源側の継手と消毒液ユニットの入水口を連結し、この連結継手の給水枝管路部側の継手と消毒液ユニットの消毒液注出口を連結する。
このようにすると、請求項１の医療機器の消毒洗浄時と同じ消毒洗浄の管路系が実現される。したがって、この場合の消毒洗浄の手順は、請求項１と同様である。
【００３７】
消毒洗浄が終了すると、連結継手の給水源側の継手と消毒液ユニットの入水口との連結を解除し、連結継手の給水枝管路部側の継手と消毒液ユニットの消毒液注出口との連結を解除して、消毒液ユニットと医療機器本体との接続を解除する。一方、本体側では、解除された連結継手の給水源側と給水枝管路部側とを元通り連結すると、給水源と給水枝管路部が接続され、通常の給水を行うことができる。
【００３８】
このようにして、上述の基本的効果に加え、請求項１に記載の医療機器と同様の効果が発揮される。
請求項９に記載の給水管路の消毒洗浄機能を備えた医療機器は、給水源から供給された水を、各々に開閉弁を設けた医療器具に導出するための給水管路を内蔵させた本体部に、消毒液ユニットを着脱可能に取り付けできるようにした医療機器であって、上記本体部は、上記給水管路のうち、少なくとも１以上の医療器具に接続した給水枝管路部と給水源との途中に連結継手を設け、上記消毒液ユニットは、消毒液を貯留した消毒液タンクと、消毒液タンクに通じ、ポンプ手段と消毒液注出口とを設けた消毒液注入管路と、その消毒液注入管路に通じ開閉弁と入水口とを設けた入水管路を備えており、消毒時には、上記本体部の連結継手の連結を解除し、その連結継手の給水源側に上記消毒液ユニットの入水口を接続し、その連結継手の給水枝管路部側に上記消毒液ユニットの消毒液注入口を接続するようにしている。
【００４１】
請求項１０に記載の給水管路の消毒洗浄機能を備えた医療機器は、請求項８又は９において、上記本体部の連結継手、上記消毒液ユニットの入水口及び消毒液注出口、上記消毒液ユニットの連結継手のそれぞれには、逆流防止弁が設けられていることを特徴とする。
それぞれの継手などには、逆流防止弁が設けられているので、連結継手などを解除した場合にも、継手などからの給水や消毒液の滴下をふせぐことができ、着脱使用に向いている。
【００４２】
請求項１１に記載の給水管路の消毒洗浄機能を備えた医療機器は、請求項８〜１０のいずれかにおいて、上記本体部の連結継手、上記消毒液ユニットの入水口及び消毒液注出口、上記消毒液ユニットの連結継手のそれぞれは、ワンタッチ継手であることを特徴とする。
それぞれの継手などは、ワンタッチ継手であるので、着脱が容易で、消毒液ユニットの着脱が容易になる。
【００４３】
請求項１２に記載の給水管路の消毒洗浄機能を備えた医療機器は、請求項８〜１１のいずれかにおいて、上記消毒液ユニットが、運搬可能なものであることを特徴とする。
着脱可能な消毒液ユニットが、運搬可能なので、複数の医療機器本体に対して消毒液ユニットを持ち運ぶのに便利がよく、また、消毒液ユニットを、それぞれの医療機器のそばに置くことができ、接続のための管路導出をより短くすることができる。
【００４４】
消毒液ユニットは、消毒液タンク、２種類の管路、簡易な構造の継手で構成される入水口や消毒液注出口、ポンプなどからなり、十分、運搬可能なものとすることができる。
請求項１３に記載の給水管路の消毒洗浄機能を備えた医療機器は、請求項１〜１２のいずれかにおいて、上記消毒液として、次亜塩素酸ナトリウムを用いることを特徴とする。
【００４５】
本発明の医療機器においては、消毒液を消毒後、給水管路系に残留させることがないので、消毒液の残留による管路系の腐食などを考慮する必要がなく、消毒効果のみを選択条件として、適切な消毒液を選ぶことができる。つまり、消毒液として最もよく用いられる次亜塩素酸ナトリウムも用いることができ、便利であり、給水管路の消毒洗浄を簡単にすることができる。
【００４６】
【発明の実施の形態】
以下に、本発明の実施の形態について図とともに説明する。
まず、給水管路の消毒洗浄のための消毒液タンクなどの機具が、医療機器本体に組みこまれているタイプのものについて説明する。
図１は、そのような本発明の医療機器の一例を構成する管路系の概略構成を示す系統図である。ここでは、医療機器の例として、歯科用医療機器の場合を示している。なお、以下の説明では、いずれも歯科用医療機器を例として説明する。
【００４７】
この医療機器１の管路系は、この図で示すように、給水源Ｗから、それぞれの医療器具ＨＰに給水する給水管路２と、消毒液タンク３などと、吸引源Ｖから吸引力を得て、排水などを吸引してバキュームタンクＶＴに排出する吸引管路ｖと、それぞれの排水などを回収して排水先Ｄに排出する排水管路ｄから構成され、給水管路２の消毒洗浄機能を備えていることを特徴とする。
【００４８】
給水管路２は、給水源Ｗから供給された水を、各々に開閉弁ＳＷを設けた医療器具ＨＰに導出するための給水枝管路部４を有し、この給水枝管路部４と、途中に開閉弁５１を設け、消毒液タンク３に接続された消毒液すすぎ管路５とに、給水源Ｗを切替え接続する切替制御弁６を設けるとともに、消毒液タンク３と給水枝管路部４とを消毒液注入管路３１によって接続した基本構造としている。
【００４９】
給水源Ｗには給水管路２ａを介して手動給水弁Ｖ０、手動給水弁Ｖ０に給水管路２ｂを介して逆流防止弁Ｖ１、逆流防止弁Ｖ１に給水管路２ｃを介して減圧弁Ｖ２、減圧弁Ｖ２に給水管路２ｄを介して給水元弁ＳＶ１、給水元弁ＳＶ１に給水管路２ｅを介して給水フィルタＦ１、給水フィルタＦ１に給水管路２ｆを介して切替制御弁６が接続されている。
【００５０】
ここで、手動給水弁Ｖ０は、長時間、医療機器１を使用しない場合に、誤動作で給水されることがないように、給水を手動で開閉するものである。逆流防止弁Ｖ１は、給水の逆流を防止するものである。減圧弁Ｖ２は、給水管路２ｄの水圧をフィードバックしており、水圧を一定値に保つものである。給水元弁ＳＶ１は、電磁弁で構成されており、制御回路により、自動的に操作されるようになっている。給水フィルタＦ１は、医療器具ＨＰに供給される水を濾過するためのもので、水道水などに含まれる不純物などを取り除く。
【００５１】
切替制御弁６は、自動作動し得る２方向切替弁で、その出力ポートの一方には、給水枝管路４が接続され、他方には、消毒液すすぎ管路５が接続されている。切替制御弁６に接続された給水枝管路部４ａはＴ字状の分岐４６を有しており、その一方の分岐には、消毒液タンク３に通じている消毒液注入管路３１が接続されている。給水枝管路部４ｂは、分岐４６の他の一方から延び、給水ウォーマＷＡに接続されている。この給水ウォーマＷＡは、歯科治療に用いる場合、給水を適温に加熱するためのものである。
【００５２】
給水ウォーマＷＡからは、給水枝管路部４ｂがさらに延びており、ここで歯科用医療機器に必要な医療器具ＨＰ（１〜５）の分だけの給水枝管路部４ｃ（１〜５）に枝分かれし、給水枝管路部４ｃ（１〜４）においては、それぞれ、途中に給水開閉弁ＳＷ（１〜４）を有して、それぞれの医療器具ＨＰ（１〜４）に接続されている。給水枝管路部４ｃ（５）においては、開閉弁なしに、医療器具ＨＰ（５）に接続されている。
【００５３】
ここで、例としてあげた歯科用医療機器においては、医療器具ＨＰ（１）はコップ給水であり、患者の必要に応じて、口中洗浄のためのうがい水をコップに給水するためのものである。医療器具ＨＰ（２）はエアータービンハンドピースであり、高速で歯面を研削するものであるが、研削中に、研削処置部を適宜冷却し、また、研削屑などが飛散しないように給水の必要のあるものである。医療器具ＨＰ（３）はマイクロモータハンドピースであり、低速で歯面を研削するものであるが、同様に給水の必要のあるものである。医療器具ＨＰ（４）はスケーラであり、歯垢などを除去するためのものあるが、この場合も、処置部の冷却などのために給水が必要とされるものである。医療器具ＨＰ（５）はスリーウエイシリンジであり、別途供給される加圧空気とともに給水を噴射して、処置部を適宜、冷却あるいは清掃するものである。
【００５４】
また、ここでは、給水枝管路部４ａ、４ｂ、４ｃ（１〜５）を総称して、給水枝管路部４と呼んでおり、給水管路２ａ〜２ｆと給水枝管路部４を総称して、給水管路２と呼んでいる。
この管路系を示す図は、消毒洗浄時のものであり、これらの医療器具ＨＰ（１〜５）はそれぞれ、通常の待機状態あるいは使用状態ではなく、消毒洗浄のために洗浄タンクＷＢにセットされ、この洗浄タンクＷＢは、歯科用医療機器のスピットンＳＰの上に載せられ、コップ給水である医療器具ＨＰ（１）からの排水も受けるようになっている。ここにスピットンＳＰとは、歯科治療時に、主に、患者が口腔内をうがい洗浄したのちの排水を吐出させるための吐出皿のことをいい、通常、スピットンＳＰの上部には、コップ受けと、そのコップに給水するコップ給水が設けられている。
【００５５】
消毒液すすぎ管路５は、切替制御弁６の出力ポートに消毒液すすぎ管路５ａを介して接続されたすすぎ開閉弁５１、すすぎ開閉弁５１から医療機器１に備えられた消毒液タンク３に通じる消毒液すすぎ管路５ｂから構成されており、すすぎ開閉弁５１によって、給水源Ｗから消毒液タンク３への給水を開閉する。
消毒液注入管路３１は、給水枝配管部の分岐４６に接続された消毒液注入管路３１ａと、その消毒液注入管路３１ａの他端に接続された逆流防止弁３３と、逆流防止弁３３に消毒液注入管路３１ｂを介して接続されたポンプ３２と、そのポンプ３２と消毒液タンク３を接続し、タンク３内の消毒液Ｑをポンプ３２で吸い上げるようにした消毒液注入管路３１ｃから構成されている。
【００５６】
なお、上記で説明した、消毒液タンク３、消毒液注入管路３１ｂ、３１ｃ、ポンプ３２、逆流防止弁３３、すすぎ開閉弁５１、消毒液すすぎ管路５ａなどからなる部分で、図に点線で囲った部分を消毒液ユニットＰＵと呼び、この消毒液ユニットＰＵは、医療機器１の本体内に内蔵されていることを原則とするが、別体とすることもできる。
【００５７】
吸引管路ｖは、吸引源Ｖと吸引元弁ＳＶ２を接続する吸引管路ｖ１、吸引元弁ＳＶ２に吸引管路ｖ２を介して接続されたバキュームタンクＶＴ、そのバキュムタンクＶＴに接続され、他端にバキュームシリンジＶＳが接続された吸引管路ｖ３、バキュームタンクＶＴのドレン部ＶＴａと排水管路ｄを接続して、吸引回収された排水などを排水管路ｄに排出する吸引ドレン管路ｖ４から構成されている。
【００５８】
ここで、バキュームタンクＶＴは、トラップ手段（不図示）を有し、吸引管路ｖ３によって吸引されてきた排水などを、分離回収するもので、吸引源からは、吸引管路ｖ２によって吸引力を供給されている。この分離回収された排水は、ドレン部ＶＴａに貯留される。また、バキュームシリンジＶＳは、通常は、口腔内に供給された医療器具ＨＰ（２〜５）などによる水や切削屑などを吸引回収するためのものであるが、消毒吸引時には、洗浄タンクＷＢ内の貯留排水を吸引するために用いられる。
【００５９】
排水管路ｄは、スピットンＳＰの排水口と排水先Ｄを接続しており、通常は、スピットンＳＰに排出された、患者のうがい後の排水などを排水する。また、その途中には、バキュームタンクＶＴからの吸引ドレン管路ｖ４が接続されており、バキュームタンクＶＴのドレン排水も排水する。
消毒洗浄時には、図示するように、スピットンＳＰの上に載せられた洗浄タンクＷＢに貯留される消毒液Ｑとすすぎ洗浄の排水は、主として、バキュームシリンジＶＳで吸引排出され、その排水だけが、バキュームタンクＶＴで分離回収されて、吸引ドレン管路ｖ４を介して、排水管路ｄから、排水先Ｄに排水される。しかし、バキュームシリンジＶＳの吸引能力が不足した場合などには、洗浄タンクＷＢには、オーバーフロー穴（不図示）が設けられており、そのオーバーフロー穴から、タンクＷＢに貯留した排水があふれ出て、スピットンＳＰの排水口から、排水管路ｄを介して、排水先Ｄに排水される。
【００６０】
この医療機器１における基本動作について説明する。
この医療機器１では、通常使用時において、切替制御弁６は、給水枝管路部４側にセットされており、給水源Ｗからの水は、給水枝管路部４から、給水開閉弁ＳＷを有した医療器具ＨＰに供給され、治療や処置が行われる。
消毒時には、まず、切替制御弁６を消毒液すすぎ管路５側に切替え、すすぎ開閉弁５１を閉じる。この状態では、給水枝管路部４への給水源Ｗからの給水は停止される。そして、消毒液注入管路３１に設けられたポンプ３２を作動し、消毒液タンク３に貯留された消毒液Ｑを消毒液注入管路３１を通じて、分岐４６から給水枝管路部４ｂに注入し、給水開閉弁ＳＷを開き、それぞれの医療器具ＨＰから消毒液Ｑが吐出するのを確認してポンプ３２を停止し、給水枝管路部４と各医療器具ＨＰに消毒液Ｑが充填された状態で所定時間放置する。
【００６１】
この場合、全ての枝分かれした給水枝管路部４ｃ（１〜５）に同時に消毒液Ｑを注入してもよいし、給水枝管路部４ｃ（１〜５）のそれぞれの管路径に大小があるため、また、ポンプ３２の能力のために、全ての給水枝管路部４ｃ（１〜５）に同時に消毒液Ｑを注入できない場合は、ポンプ３２の能力に合わせて、それぞれの給水開閉弁ＳＷ（１〜５）を順次開閉することによって、消毒液Ｑをそれぞれの給水枝管路部４ｃ（１〜５）ごと、あるいは、給水枝管路部４ｃ（１〜５）の適当なグループごとに注入するようにしてもよい。
【００６２】
具体的には、この例に示した歯科用の医療機器の場合、医療器具ＨＰ（１）はコップ給水であり、通常、他の医療器具ＨＰ（２〜４）に比べ、必要流量が大きく管路径が大きい。したがって、給水枝管路部４ｃ（１）にだけ、先に消毒液Ｑを注入し、その後、他の給水枝管路部４ｃ（２〜５）に消毒液Ｑを注入するようにするとよい。そのようにすると、大きな能力のポンプを設置しなくともよくなり、ポンプを小型化することができる。
【００６３】
ついで、ポンプ３２を再度作動し、消毒液タンク３の消毒液Ｑがなくなり、それぞれの医療器具ＨＰから、消毒液Ｑが吐出し終わってから、切替制御弁６を消毒液すすぎ管路５側に切替保持したままで、すすぎ開閉弁５１を開き、更に給水開閉弁ＳＷを開いて、給水源Ｗからの水を消毒液すすぎ管路５に供給する。
この状態で、給水は、消毒液タンク３に貯留されるが、ポンプ３２は作動させたままなので、その水は、消毒液注入管路３１を通って給水枝管路部４へと供給されるので、消毒液タンク３、消毒液注入管路３１もすすぎ洗浄され、さらに、給水枝管路部４、それぞれの給水開閉弁ＳＷと医療器具ＨＰもすすぎ洗浄され、消毒液Ｑは、このすすぎ洗浄の水とともに洗浄タンクＷＢに貯留され、バキュームシリンジＶＳ、吸引管路ｖ３、バキュムタンクＶＴを介して、あるいはスピットンＳＰから直接、排水管路ｄに排水される。
【００６４】
このすすぎ洗浄の場合も、ポンプ３２の能力などの関係から、上述した消毒液注入の場合と同様に、洗浄対象の給水枝管路部４ｃ（１〜５）へ同時にすすぎ洗浄の給水しないようにすることができ、ポンプの小型化を図ると同時に、給水量が不足して、すすぎ洗浄が十分に行われないといった不都合を避けることができる。
【００６５】
こうして、すすぎ洗浄終了後は、消毒液注入管路３１のポンプ３２を停止し、すすぎ開閉弁５１を閉じてから、切替制御弁６を給水枝管路４側に切替え、給水開閉弁ＳＷを必要に応じて開閉して、通常の治療や、処置が行われる。
このように本発明の医療機器によれば、医療器具と給水枝管路部の部分の消毒洗浄を完全に行うことができるとともに、消毒後は、その給水枝管路部などを消毒するために消毒液を注入する消毒液注入管路や消毒液タンクなどを含めて、消毒液の注入されたすべての管路がすすぎ洗浄できる。したがって、消毒洗浄後は、医療機器には、消毒液は一切残っておらず、通常の使用時に、誤動作などで、消毒液が給水に混入することがない。また、消毒液は、消毒に必要な時に、必要な時間だけ、管路系に注入、滞留するだけなので、管路系への消毒液の悪影響を最小限に抑えることができる。
【００６６】
この消毒洗浄機能を備えた医療機器は、一回の消毒でタンクの消毒液を使い切ってしまう場合に、好適に用いられる。
なお、この医療機器においては、消毒洗浄中は、セットされた医療器具が洗浄タンクからはずれないように、関連する機器の作動を停止させる安全機構、あるいは、消毒洗浄中であることや、消毒洗浄終了を示す表示ランプや警報ブザーなどの表示・警報手段などの安全機構を設けることが望ましい。このようにすると、消毒洗浄中の不都合を回避し、また、消毒洗浄が終了したことを確認できるので、安全かつスムーズに通常使用を開始することができる。
【００６７】
ついで、消毒液ユニットが、医療機器本体に組みこまれているタイプの他例のものについて説明する。図２は、そのような本発明の医療機器の参考例としての管路系の概略構成を示す系統図である。この医療機器１Ａは、図１の医療機器１に比べ、消毒液すすぎバイパス管路５Ａの部分だけが相違するので、他の共通する部分については、同じ符号を付して、重複する説明を省略する。
【００６８】
この医療機器１Ａは、図１の医療機器１と異なり、消毒洗浄時に切替制御弁６が切り替えられる消毒液すすぎバイパス管路５Ａのすすぎ開閉弁５１の出力である消毒液すすぎバイパス管路５ｃは、消毒液タンク３には接続されず、消毒液タンク３から給水枝管路部４ｂに向かう消毒液注入管路３１ａの給水枝管路部４ａとの合流点、つまり、分岐４６より、所定の距離だけ消毒液タンク３側に離れた位置に接続されている。
【００６９】
したがって、給水枝管路部４ａに開口している消毒液注入管路３１ａの給水枝管路部４に近い部分がすすぎ洗浄され、その後、通常使用時には、この消毒液注入管路３１ａの給水枝管路部４への接続部分には、消毒液Ｑは残っておらず、この部分から、消毒液Ｑが給水枝管路部４に混入することがない。
また、医療機器１Ａでは、消毒液タンク３には、すすぎ給水は供給されないので、消毒液Ｑが希釈されることがなく、消毒液タンク３に消毒液Ｑを複数回分貯留しておいて使用するのに向いている。したがって、いちいち、消毒洗浄の度に、一回分の消毒液Ｑを消毒液タンク３に入れる手間を省くことができる。
【００７０】
一方、医療機器１Ａでは、消毒液タンク３に消毒液Ｑが貯留されたままで、消毒液注入管路３１ａが給水枝管路部４に開口しているので、ポンプ３２が誤動作などした場合は、消毒液Ｑが、給水枝管路部４に注入される可能性は否定できないが、このような誤動作は、制御回路の構成により、極力避けることができる。なお、詳細は後述するが、この医療機器１Ａにおいても、給水管路２ｅから分岐した排水路７ｃ、排水路７ｃと後出の排水をスピットンＳＰに排出する排水路７ｄの間に設けられた排水開閉弁ＳＶ４、排水開閉弁ＳＶ４から導出されスピットンＳＰに排水している排水路７ｄからなる排水路が設けられており、消毒洗浄時に、スピットンＳＰも洗浄することができるようになっている。
【００７１】
ついで、消毒液ユニットが、医療機器本体に組みこまれているタイプのさらに他例のものについて説明する。図３は、そのような本発明の医療機器の別の参考例としての管路系の概略構成を示す系統図である。この医療機器１Ｂは、図２の医療機器１Ａに比べ、バイパス排水管路５Ｂの部分だけが相違するので、他の共通する部分については、同じ符号を付して、重複する説明を省略する。
【００７２】
この医療機器１Ｂでは、消毒洗浄時に切替制御弁６が切り替えられるバイパス排水管路５Ｂの開閉弁５１ａの出力であるバイパス排水管路５ｄは、排水路７を構成する排水路７ｂに通じている。この排水路７は、給水管路２ｅから分岐し、排水開閉弁ＳＶ３に接続されている排水路７ａ、排水開閉弁ＳＶ３からスピットンＳＰに通じている排水路７ｂから構成され、通常は、適宜、汚染されたスピットンＳＰを洗浄して、その洗浄水を排水管路ｄを介して排水先Ｄに排水する。
【００７３】
消毒洗浄時には、消毒液注入管路３１によって、給水枝管路部４に消毒液Ｑが注入され、同時に、給水源Ｗからの給水は、切替制御弁６、開閉弁５１ａを開いたバイパス排水管路５Ｂを介して、排水路７ｂに供給され、スピットンＳＰ、排水管路ｄを介して排水先Ｄに排水される。
したがって、消毒洗浄時に、医療器具ＨＰから濃度の高い消毒液Ｑが排出されても、同時に排水管路ｄには、給水源Ｗからの給水が排水されるので、その消毒液Ｑは、適宜希釈され、濃度の高い消毒液に対する素材の考慮がなされていないことが多い排水管路を、損傷するようなことがない。
【００７４】
図４は、以上説明した医療機器に用いられる消毒液ユニットの他例の管路系統図を示すものである。
この消毒液ユニットＰＵＡは図１で説明した消毒液ユニットＰＵに比べ、消毒液Ｑを注入するのに、ポンプを用いず、消毒液タンクを気密に密閉可能とし、加圧空気を用いるものである。
【００７５】
消毒液タンク３Ａには、気密に密閉可能な蓋３４が設置され、エアー源Ｅから、直列に接続された加圧空気管路ｅ１、加圧開閉弁ＳＶ５、加圧空気管路ｅ２を介して、加圧空気が供給されている。一方、消毒液タンク３Ａからは、ポンプを有しない消毒液注入管路３１ｄが導出され、逆流防止弁３３に接続されている。その他の点については、消毒液ユニットＰＵと同様である。
【００７６】
この消毒液ユニットＰＵＡにおいては、加圧開閉弁ＳＶ５をＡ位置にして、消毒液タンク３Ａに加圧空気を供給し、その圧力で、タンク３Ａ内の消毒液Ｑを消毒液注入管路３１を介して、給水枝管路部４に注入する。注入を止める場合には、加圧開閉弁ＳＶ５をＢ位置にして、加圧空気の供給を止め、加圧空気管路ｅ２を大気に開放して、タンク３Ａ内の加圧空気を逃がして、余分に消毒液Ｑが注入されるのを防止している。
【００７７】
この消毒液ユニットＰＵＡによれば、ポンプが不要になり、また、歯科用治療機器の場合、通常、加圧空気のエアー源Ｅは、他の用途のために設置されているものを利用することができ、全体として、コストダウンを図ることができる。
また、このような、加圧空気を用いる消毒液ユニットは、図２、３の場合、さらに、後述する消毒液ユニットを別体とする場合でも、適用することのできるものである。
これより、消毒液ユニットが、医療機器本体に組みこまれているタイプの給水管路の消毒洗浄機能を備えた医療機器において、更に、消毒洗浄のシーケンス制御をするシーケンサを備えたものについて説明する。
【００７８】
図５は、本発明のシーケンサを有した医療機器の一例の要部構成を示すブロック図で、消毒洗浄シーケンスを実行するための基本的なハード構成を示している。
この医療機器は、消毒洗浄指令スイッチＳＷ０と、報知確認スイッチＳＷ１とを備えており、シーケンサＢでは、タイマＴの監視下で、これらのスイッチＳＷ０、ＳＷ１からの信号を受け付けて、給水元弁などを含む給水制御機器、消毒液のポンプ、切替制御弁を制御し、上述したような消毒洗浄シーケンスを実行する。ランプＬとブザーＢＺは、消毒洗浄中、あるいは、消毒洗浄終了を報知するための報知手段である。
【００７９】
このシーケンサＢは、消毒洗浄指令スイッチＳＷ０が操作された場合には、タイマＴを駆動させ、そのタイマＴの監視下で、予め準備された消毒洗浄のシーケンスプログラムに従って、前述したような、給水制御機器、消毒液のポンプ、切替制御弁などの制御を行い、消毒洗浄中は、ランプＬを点滅させ、ブザーＢＺを間欠鳴動する。終了すればランプＬを消灯し、ブザーＢＺの鳴動も停止させる。あるいは、ランプＬの点滅パターンやブザーＢＺの鳴動パターンを変えて作動させるようにしてもよい。
【００８０】
消毒洗浄が終了した後には、ブザーＢＺを鳴動させ、報知確認スイッチＳＷ１が操作されるまで鳴動し続けるようにすれば、消毒洗浄の確認が確実に行える。このようにすると、手順漏れがなく、一連の手順が迅速に行われる。また、消毒洗浄終了が明確に報知され、確認されるので、誤って、通常の給水使用を開始するようなことを避けることができる。
【００８１】
図６は、本発明のシーケンサを有した医療機器の他例の要部構成を示すブロック図である。この医療機器のシーケンサにおいて、図５に比べて、同じ部分については、同じ符号を付して、重複説明を省略する。
このシーケンサＢにおいては、更に、論理積回路Ｇ１を介して昇降操作スイッチＳＷ２を接続した治療椅子昇降制御手段ＣＨ、論理積回路Ｇ２を介してバックレスト操作スイッチＳＷ３を接続したバックレスト傾動制御手段ＢＲのそれぞれの論理積回路Ｇ１、Ｇ２の一方の入力に、シーケンサＢが接続されている点が相違する。
【００８２】
シーケンサＢは、消毒洗浄のシーケンスプログラム実行中、つまり、消毒洗浄中は、シーケンサＢから、治療椅子昇降制御手段ＣＨとバックレスト傾動制御手段ＢＲの論理積回路Ｇ１、Ｇ２に禁止信号が出力され、昇降操作スイッチＳＷ２やバックレスト操作スイッチＳＷ３を操作しても、治療椅子は昇降せず、バックレストは傾動しないようになっている。つまり、論理積回路Ｇ１、Ｇ２は、セーフティ回路を構成している。
【００８３】
このようにすると、消毒洗浄中は、消毒洗浄対象の医療器具を所定の位置から脱落させる可能性のある治療椅子や、バックレストなどの治療器具の操作が禁止され、消毒洗浄中の消毒液などの漏出事故を防ぐことができる。
図７は、本発明のシーケンサを有した医療機器の更に他例の要部構成を示すブロック図である。図５、６に比べて、同じ部分については、同じ符号を付して、重複説明を省略する。
【００８４】
このシーケンサＢ１においては、更に、後述する椅子位置環視回路を構成する判別手段Ｈを有しており、この判別手段Ｈには、治療椅子センサＳ１、バックレストセンサＳ２からの信号が入力され、それらの信号をもとに、治療椅子昇降制御手段ＣＨ及びバックレスト傾動制御手段ＢＲに初期位置ロック信号を出力するようにしている点が相違する。また、シーケンサＢ１には、フレキシブルチューブ引出検知手段Ｓ３からの信号も入力されている。
【００８５】
セーフティロック回路は、治療椅子位置センサＳ１と、バックレスト位置センサＳ２と、これらのセンサからの信号を入力し、それぞれの位置を判別する判別手段Ｈによって構成され、判別手段Ｈは、管路洗浄指令スイッチＳＷの入力を受けると、シーケンサＢ１が稼動する前に、治療椅子の位置を検知判別して、初期位置にないときには、治療椅子昇降制御手段ＣＨ、バックレスト傾動制御手段ＢＲに初期位置復帰指令信号を送出して初期位置に復帰させた後、初期位置ロック信号を送出して、その状態でロックする。
【００８６】
このロックの間は、操作スイッチＳＷ２、ＳＷ３（図６）を操作しても治療椅子などは動かないが、シーケンサＢ１が一連の消毒洗浄シーケンスプログラムを終了すれば、ロックを解除する。
このようにすると、治療椅子は、消毒洗浄時には、初期位置に復帰され、その位置から動かなくなるので、安全性が高い。
【００８７】
椅子位置監視回路は、治療椅子位置センサＳ１と、バックレスト位置センサＳ２と、フレキシブルチューブ引出検知手段Ｓ３と、これら信号を入力し、それぞれの位置、状態を判別する判別手段Ｈによって構成され、判別手段Ｈは、管路洗浄指令スイッチＳＷ０の入力を受けると、シーケンサＢ１が稼動する前に、治療椅子の位置やフレキシブルチューブの状態を検知判別して、これらが初期位置や待機位置にないときには、ランプＬを点滅し、ブザーＢＺを鳴動させて、注意を喚起し、復帰位置に戻すことを要求する。
【００８８】
このようにすると、治療椅子が、消毒洗浄に適した初期位置以外にあるときは、警報が出力されるので、安全性が高い。
これより、切替制御弁の替わりに連結継手を用い、消毒液タンクとポンプなどからなる消毒液ユニットを、医療機器本体に着脱可能にしたタイプのものについて説明する。
【００８９】
図８は、そのような医療機器の一例を構成する管路系の概略構成を示す系統図であり、（ａ）はその本体部、（ｂ）は着脱可能な消毒液ユニット、（ｃ）は着脱可能な消毒液ユニットの他例を示している。
この医療機器１Ｃの管路系は、そのほとんどの構成は、図１で示した医療機器１と同様であり、消毒ユニット９、９Ａが本体部１ｃに着脱可能になっており、そのために、本体部１ｃには、消毒ユニット９、９Ａを着脱するための連結継手８が設けられている点が相違するので、共通する部分には、同じ符号を付して、重複する説明を省略する。また、共通するものについては、説明上必要な場合を除き、主要なものにだけ符号を付している。
【００９０】
この医療機器１Ｃでは、図１においてフィルタＦ１とウォーマＷＡの間に設けられた給水管路２と給水枝管路部４とを切替接続する切替制御弁がなく、替わりに、フィルタＦ１から導出された給水管路２ｇとウォーマＷＡに接続されている給水枝管路部４ｄを断接可能に連結する連結継手８が設けられている。この連結継手８は、雌雄１組の連結継手８ａ、８ｂの組と、８ｃ、８ｄの組の２組から構成されている。
【００９１】
連結継手８ａは、給水管路２ｇに接続され、連結継手８ｂと連結継手８ｃとは連結管８ｅで接続され、連結継手８ｄは給水枝管路部４ｄに接続されており、それぞれの連結継手は、逆流防止弁８１を備えている。また、雌雄１組の連結継手８ａ、８ｂの組と、８ｃ、８ｄの組は、それぞれワンタッチ継手で構成され、ワンタッチで着脱することができる。
【００９２】
給水管路２ｇに接続された連結継手８ａと、給水枝管路部４ｄに接続された連結継手８ｄは、それぞれ、その連結接続側が、本体部１ｃの表面に出るように本体部１ｃの適所に設置され、通常は、連結管８ｅで接続された連結継手８ｂと連結継手８ｃとがそれぞれ、連結継手８ａ、８ｄと連結して、給水管路２ｇと給水枝管路部４ｄとが接続され給水を行う。
【００９３】
一方、この医療機器１Ｃでは、本体部１ｃに着脱可能な消毒液ユニット９を有しており、その消毒液ユニット９からは、図１の消毒液すすぎ管路に相当する入水管路９２の入水口９４と、消毒液注入管路９５の消毒液注出口９７とが導出している。この入水管路９２は、消毒液タンク９１に通じており、途中に開閉弁９３を備えている。また、消毒液注入管路９５も、消毒液タンク９１に通じており、途中にポンプ９６を備えている。この消毒液ユニット９の入水口９４と消毒液注出口９７も、連結継手８と同様に、それぞれ逆流防止弁８１を有しており、ワンタッチ継手で構成されている。
【００９４】
消毒洗浄時には、本体側の連結継手８の連結を解除すると、自動的に、給水源Ｗから給水枝管路部４への接続は解除される。その後、この解除された連結継手８の給水源側の継手８ａと消毒液ユニット９の入水口９４を連結し、この連結継手８の給水枝管路部側の継手８ｄと消毒液ユニット９の消毒液注出口９７を連結する。
【００９５】
このようにすると、図１の医療機器１の消毒洗浄時と同じ消毒洗浄の管路系が実現される。したがって、この場合の消毒洗浄の手順は、図１について説明したものと同様である。
また、消毒液ユニットには、図８（ｃ）に示す、別のタイプの消毒液ユニット９Ａもある。
【００９６】
この消毒液ユニット９Ａは、図８（ｂ）の消毒液ユニット９に比べ、入水口９４から伸びる入水管路９２Ａは、消毒液タンクには通じておらず、開閉弁９３を介して、消毒液注入管路９５Ａに合流している。また、消毒液注入管路９５Ａは、ポンプ９６と消毒液注出口９７を接続しているが、入水管路９２Ａの合流点より下流に逆流防止弁９８を有している。
【００９７】
この消毒液ユニット９Ａを、消毒液ユニット９と同様に、医療機器１Ｃの本体部１ｃに連結すると、図２の医療機器１Ｂと同様の消毒洗浄の管路系を実現するものである。
消毒洗浄が終了すると、連結継手８の給水源側の継手８ａと消毒液ユニット９の入水口９４との連結を解除し、連結継手８の給水枝管路部側の継手８ｄと消毒液ユニット９の消毒液注出口９７との連結を解除して、消毒液ユニット９と本体部１ｃとの接続を解除する。一方、本体側では、解除された連結継手８の給水源側と給水枝管路部側とを、図１（ａ）に示すように、元通り連結すると、給水源Ｗと給水枝管路部４が接続され、通常の給水を行うことができる。
【００９８】
給水管路２の消毒洗浄は、短時間でよく、消毒液ユニット９は消毒洗浄時のみに使用されるので、１台の医療機器に必ずしも常時消毒液ユニット９を接続しておく必要のないものである。したがって、このように、一つの消毒液ユニット９を、複数の医療機器本体に対して付け替えて使用するようにしても、多少の付け替えの手間は増えるが、消毒洗浄の支障になるようなことはない。
【００９９】
一方、このようにすることによって、本体部１ｃには、消毒液タンク９１などの設置場所を設ける必要がなく、医療機器本体を小型化でき、コストダウンにもなる。また、消毒洗浄時だけに使用する消毒液ユニット９、９Ａは、不使用時には、別の所に収納しておくことができ、邪魔にならない。
また、通常使用時には、消毒液ユニット９、９Ａは、本体部１ｃからは完全に切り離されているので、誤動作などで、消毒液Ｑが給水管路２に混入することを完全に避けることができる。
【０１００】
さらに、比較的に高価な切替制御弁が不要になり、替わりに安価な連結継手８を用いることができるので、その点でもコストダウンとなる。
ついで、消毒液ユニットを、医療機器本体に着脱可能にしたタイプの別の例について説明する。この医療機器は、その連結継手の連結方法を改善したものである。
【０１０１】
図９は、そのような本発明の医療機器の例を構成する管路系の概略構成を示す系統図であり、（ａ）はその本体部、（ｂ）は着脱可能な消毒液ユニット、（ｃ）は着脱可能な消毒液ユニットの他例を示している。
この医療機器１Ｄにおいては、図８の医療機器１Ｃに比べ、本体部１ｄ側の連結継手８Ａが一組の雌雄の連結継手８ａ、８ｄの組で構成されている点のみが相違するので、共通する部分は、同じ符号を付して、重複説明を省略する。
【０１０２】
この医療機器１Ｄの連結継手は、１組の連結継手８ａ、８ｄで構成され、給水源Ｗからの給水管路２ｇは、連結継手８ａに接続され、その連結継手８ａ側は、連結継手８ａと共に本体部１ｄから導出されるようになっており、給水枝管路部４ｄは連結継手８ｄに接続されており、連結継手８ｄは、その連結側が、ちょうど本体部１ｄの表面に出るように本体部１ｄの適所に設置されている。
【０１０３】
一方、この場合の消毒液ユニット９、９Ａは、図８の場合とまったく同じもので、その入水口９４、消毒液注出口９７なども同じものである。
通常使用時は、連結継手８ａは連結継手８ｄと連結され、給水源Ｗからの水は、給水枝管路４に供給される。
消毒洗浄時には、連結継手８ａ、８ｄの連結を解除し、図８と同様に連結継手８ａに入水口９４を、連結継手８ｄに消毒液注出口９７を連結する。消毒洗浄の手順などは、図８の場合と全く同じである。
【０１０４】
消毒洗浄終了後は、消毒液ユニット９、９Ａとの連結を解除し、元通り、連結継手８ａ、８ｄを連結する。
このように、この医療機器１Ｄでは、図８の医療機器１Ｃと全く同じような効果を発揮する一方、医療機器１Ｃでは、必要であった連結継手８ｂ、連結継手８ｃ、連結管８ｅが不要になっており、コストダウンを図ることができる。また、連結継手の個数が減った分だけ、継手の着脱の手間と回数が減る。
【０１０５】
ついで、消毒液ユニットを、医療機器本体に着脱可能にしたタイプのさらに別の例について説明する。この医療機器は、消毒洗浄時の給水を排水管路に排出することを特徴とする図３の医療機器において、消毒液ユニットを着脱可能としたものである。
図１０は、そのような本発明の医療機器の一例を構成する管路系の概略構成を示す系統図であり、（ａ）はその本体部、（ｂ）は着脱可能な消毒液ユニットを示している。
【０１０６】
この医療機器１Ｅは、その本体部１ｅの給水管路２と給水枝管路部４の間に設けられた連結継手８は、図８と全く同じものである。一方、本体部１ｅには、図３の医療機器と同様の排水路７を備えており、相違するのは、排水路７ｂから排水路７ｃが分岐しており、その先端に排水導入口７１が設けられ、その排水導入口７１は、本体部１ｅの表面に、その連結側が出るように、本体部１ｅの適所に設置されている点である。
【０１０７】
一方、消毒液ユニット９Ｂは、消毒液Ｑを貯留した消毒液タンク９１と、消毒液タンク９１に通じ、ポンプ９６と消毒液注出口９７とを設けた消毒液注入管路９５Ｂと、両端に連結継手９４Ａ、９９を有し開閉弁９３を設けた排水バイパス管路９２Ｂとを備えている。
ここでも、排水導入口７１、連結継手９４Ａ、９９は、それぞれ逆流防止弁８１を備え、また、ワンタッチ継手で構成されている。
【０１０８】
この医療機器１Ｅにおいては、通常は、連結継手８が連結され、給水源Ｗから給水枝管路部４に給水される。排水導入口７１は、相手とする継手が連結されない状態であるが、逆流防止弁８１を備えているので、排水などが漏れ出すことはない。
消毒洗浄時には、連結継手８の連結を解除し、本体部１ｅの連結継手８の給水源側の継手８ａと排水導入口７１を消毒液ユニット９Ｂの排水バイパス管路９２Ｂで接続し、つまり、連結継手８ａと連結継手９４Ａを連結し、連結継手９９と排水導入口７１を連結する。一方、その本体部１ｅの連結継手８の給水枝管路部側の継手８ｄに消毒液ユニット９Ｂの消毒液注出口９７を接続する。
【０１０９】
このようにすると、図３の医療機器１Ｂの消毒洗浄時と同じ消毒洗浄の管路系が実現される。したがって、この場合の消毒洗浄の手順は、図３について説明したものと同様である。また、同様の効果が発揮される。
また、連結継手８や、それに消毒洗浄時に連結する連結継手９４Ａを設けた入水口９４、消毒液注出口９７などは、逆流防止弁８１を有しているので、連結解除した場合でも、内部の水や消毒液が漏れ出すことがないので、着脱時に、周囲の環境を汚染することがなく、便利である。
【０１１０】
また、連結継手８や、それに消毒洗浄時に連結する入水口９４、消毒液注出口９７などは、ワンタッチ継手であるので、着脱がワンタッチででき、便利である。
さらに、消毒液ユニット９、９Ａ、９Ｂは、消毒液タンク９１と、２種類の管路９２、９５、簡易な構造の継手で構成される入水口９４や消毒液注出口９７、ポンプ９６などからなり、十分、運搬可能なものとすることができる。
【０１１１】
したがって、複数の医療機器本体に対して消毒液ユニットを持ち運ぶのに便利がよく、また、消毒液ユニットを、それぞれの医療機器のそばに置くことができ、接続のための管路導出をより短くすることができる。
さらに、本発明の医療機器においては、消毒後、給水管路系に消毒液を残留させることがないので、消毒液の残留による管路系の腐食などを考慮する必要がなく、消毒効果のみを選択条件として、適切な消毒液を選ぶことができる。つまり、消毒液として最もよく用いられる次亜塩素酸ナトリウムも用いることができ、便利であり、給水管路の消毒洗浄を簡単にすることができる。
これより、本発明の医療機器で、給水管路系の消毒洗浄時に用いられる種々のタイプの洗浄タンクについて説明する。これらのタンクは、給水管路系の消毒洗浄を安全、簡易に行うために重要な役割を果たすものである。
【０１１２】
図１１（ａ）は本発明の医療機器で用いる洗浄タンクの一例を示す外観斜視図、（ｂ）は、その洗浄タンクに、消毒洗浄のために医療器具をセットした状態を示す縦断面図である。なお、以下の説明においても、これまでに説明した図面と同じ部分については、同じ符号を付して、重複する説明を省略する。
この洗浄タンクＷＢは、医療器具ＨＰ（１〜５）を挿着するために、それぞれの医療器具ＨＰ（１〜５）の種別に応じた挿嵌孔１０ａ、１０ｂ、１０ｃ、１０ｄ、１０ｅを形成したカバー１０に、オーバーフロー穴１１ａを形成したタンク本体１１を組み付けた基本構造をなしている。ただし、ここでは、挿嵌口１０ａは、歯科用の医療器具ＨＰ（１）であるコップ給水に合わせて、コップ給水受け孔１０ａとして形成されている。
【０１１３】
このタンクＷＢは、高濃度の消毒液などでも侵されないように、化学的に耐性の高いものを用いるのがよく、例えば、ＳＵＳ３１６、ＳＵＳ３０４などのステンレス鋼、ガラス、ＰＰ（ポリプロピレン）、ＰＥ（ポリエチレン）、塩化ビニールなどの耐薬品性の高い合成樹脂が使用可能であるが、加工性、重量、製造コストなどの点から、特に、ＰＰ（ポリプロピレン）、ＰＥ（ポリエチレン）、塩化ビニールが好適に用いられる。
【０１１４】
洗浄タンクＷＢは、図１１（ｂ）に示すように、歯科用の医療機器のスピットンＳＰの上に置いて使用され、給水枝管路部４ｃ（１）（図１参照）が接続されたコップ給水である医療器具ＨＰ（１）には、カバー１０のコップ給水受け孔１０ａを合わせ、挿嵌孔１０ｂ、１０ｃ、１０ｄ、１０ｅには、フレキシブルチューブで構成された給水枝管路部４ｃ（２〜５）を介して導出された、それぞれの医療器具ＨＰ（２〜５）を挿着し、消毒洗浄を行う。
【０１１５】
したがって、給水枝管路部４ｃ（１〜５）を通じて、医療器具ＨＰ（１〜５）のそれぞれから排出される消毒液やすすぎ洗浄の排水は、洗浄タンクＷＢで受け止められ、他所に飛び散ったりして周囲にこぼれ出ることがない。
この洗浄タンクＷＢに貯留された消毒液やすすぎ洗浄の排水は、タンクＷＢに挿入されているバキュームシリンジＶＳで、上述したように、バキュームタンク（不図示）に吸引するようになっている。
【０１１６】
また、バキュームシリンジＶＳが故障するなどしたときには、タンク本体１１のオーバーフロー穴１１ａより、貯留された消毒液やすすぎ洗浄の排水をスピットンＳＰ内に排出するようにしている。したがって、万一の故障の場合でも、洗浄タンクＷＢ内の消毒液や洗浄排水は、周囲に流れ出ることがない。
つまり、この洗浄タンクを用いると本発明の特徴とする給水管路の消毒洗浄を、安全、簡易に行うことができる。
【０１１７】
図１２（ａ）は本発明の医療機器で用いる洗浄タンクの他例を示す外観斜視図、（ｂ）は、その洗浄タンクに、消毒洗浄のために医療器具をセットした状態を示す縦断面図である。
この洗浄タンクＷＢ１は、図１１の洗浄タンクＷＢに比べ、バイパス排水管１２が設けられている点のみが相違するので、同じ部分については、同じ符号を付して重複説明を省略する。なお、以下の洗浄タンクについての説明では、同様の方法で説明する。
【０１１８】
この洗浄タンクＷＢ１のタンク本体１１Ａには、図１１のタンク本体１１のオーバーフロー孔１１ａと同様の位置の孔から、スピットンＳＰの排水孔に接続された排水管路ｄに通じているバイパス排水路１２が設けられている。
このバイパス排水路１２は、オーバーフロー孔１１ａと同様の働きをするものであるが、この場合、オーバーフローの排水は、スピットンＳＰに排水されずに、バイパス排水路１２を介して、直接、排水管路ｄに排水されるようになっている。
【０１１９】
したがって、図１１の洗浄タンクＷＢと同様の効果を発揮すると同時に、オーバーフローの排水によって、スピットンＳＰを汚染することがない。
排水管路ｄのバイパス排水路１２との接続部ｄ１には、バイパス排水路１２を排水管路ｄから外した場合に排水漏れがないように、逆止弁をもうけてもよい。図１３（ａ）、（ｂ）は本発明の医療機器で用いる洗浄タンクのさらに他例を示す外観斜視図、（ｃ）は、その洗浄タンクを用いた医療器具の消毒洗浄の状態を示す医療機器の外観斜視図、図１４（ｄ）は、その洗浄タンクをスピットンにセットした状態の縦断面図、（ｅ）は、その洗浄タンクを分割式にした例を示す縦断面図、（ｆ）は、その洗浄タンクを用いた医療器具の消毒洗浄の他例の状態を示す医療機器の外観斜視図である。
【０１２０】
図１３（ａ）の洗浄タンクＷＢ２は、図１２の洗浄タンクＷＢ１に比べ、洗浄タンクがカバーと本体に分離されておらず、一体形成され、タンクＷＢ２の上部に引っ掛けフック１３が設けられている点が相違する。また、この洗浄タンクＷＢ２を用いる場合には、排水吐出管１４ａを突出させた洗浄用コップ１４を組み合わせて使用する。
【０１２１】
また、洗浄タンクとカバーは一体形成としてもよいが、図１２のように、両者が分離したタイプのものでも、洗浄タンクとカバーをベルトなどで巻いて固定したり、図１４（ｅ）のように、洗浄タンクとカバーの接合する箇所に、容器自体の弾性を利用して嵌合する凸部と凹部を設けて固定したり、種々の固定手段により、固定するようにしてもよい。
【０１２２】
図１３（ｂ）の洗浄タンクＷＢ３は、図１３（ａ）の洗浄タンクＷＢ２に比べ、洗浄タンクの上面に設けられた挿嵌孔１０ａ〜１０ｅの内、コップ給水受け孔１０ａが、さらに内径の大きな孔であるコップ給水受け孔１０ｆである点が相違する。
この場合、図に矢印で示すように、消毒洗浄終了後は、洗浄コップ１４を、そのコップ給水受け孔１０ｆに嵌め込んだ状態で、洗浄タンクＷＢ３を収納することができ、収納に便利で、洗浄コップ１４が散逸することが少なくなる。
【０１２３】
図１３（ｃ）において、１ｃｈは、本発明の医療機器の例である歯科用医療機器１の治療椅子である。
図１３に示すように、消毒洗浄時に、洗浄タンクＷＢ２は、スピットンＳＰの側縁に引っ掛けフック１３を係止させて使用され、洗浄タンクＷＢ２上面の挿嵌孔１０Ｂ〜１０ｅには、治療椅子１ｃｈのバックレストの上部から導出されたフレキシブルチューブで構成された給水枝管路部４ｃ（２〜５）に接続された医療器具ＨＰ（２〜５）が挿着されている。一方、スピットンＳＰの上部に設置されたコップ給水である医療器具ＨＰ（１）の部分には、排水吐出管１４ａをスピットンＳＰの排出孔側に向けた状態で洗浄用コップ１４が設置されている。
【０１２４】
したがって、給水枝管路部４ｃ（２〜５）を通じて、医療器具ＨＰ（２〜５）のそれぞれから排出される消毒液やすすぎ洗浄の排水は、洗浄タンクＷＢ２で受け止められ、他所に飛び散ったり、流れ出たりすることがない。また、オーバーフロー排水は、バイパス排水路１２を介して、排水管路ｄに排水される。さらに、コップ給水である医療器具ＨＰ（１）からの排水は、洗浄用コップ１４に一時貯留され、排水吐出管１４ａを介して、スピットンＳＰから、排水管路に排水される。
【０１２５】
コップ給水受け孔１０ａは、図の例のように、洗浄タンクＷＢ２をスピットンＳＰの側縁に係止して使用する場合は、特に設ける必要はないが、このコップ給水受け孔１０ａがあれば、図１２（ｂ）に示すタイプのように、スピットンＳＰの上に載置して使用する場合には、都合が良い。
また、図１４（ｆ）に示すように、洗浄コップ１４の排水吐出管１４ａを延長して、コップ給水受け孔１０ａに、コップ給水である医療器具ＨＰ（１）からの排水が直接導かれるようにしてもよい。
【０１２６】
また、洗浄タンクＷＢ３も、同様にして用いられる。
図１５（ａ）は本発明の医療機器で用いる洗浄タンクのさらに他例の使用状態を示す要部縦断面図、（ｂ）は、その洗浄タンクのスピットンへの取り付け部の詳細を示す要部外観斜視図である。
この洗浄タンクＷＢ４では、図１３の洗浄タンクＷＢ２、３に比べ、タンクは、カバー１０とタンク本体１１Ｂで構成され、タンクの引っ掛けフックが一体化されたタンクの上部に設置されず、代わりに、タンク本体１１Ｂの側壁には、係止孔１５が形成され、一方、スピットンＳＰ側には、この係止孔１５に嵌め込むことができるような掛け止めピン１６が形成されている点が相違する。
【０１２７】
この洗浄タンクＷＢ４は、図に示すように、スピットンＳＰの掛け止めピン１６に、タンク本体１１Ｂの係止孔１５を挿嵌させて、スピットンＳＰの側壁に係止させて使用する。この場合も、図１３の場合と同様に、洗浄コップ１４を組み合わせて使用する。
図１６は本発明の医療機器で用いる洗浄タンクのさらに他例の使用状態を示す外観斜視図である。
【０１２８】
この洗浄タンクＷＢ５は、図１３（ａ）の洗浄タンクＷＢ２と基本的構造は同じであるが、タンクＷＢ５の上部には、コップ給水受け孔１０ａは形成されておらず、コップ給水である医療器具ＨＰ（１）を受ける開口１７ａを開設したコップ給水受け導管１７を設けている点が相違する。この洗浄タンクＷＢ５は、スピットンＳＰの側縁に引っ掛けフック１３を係止させて使用されるが、その開口１７ａは、コップ給水ＨＰ（１）の下部に位置し、医療器具ＨＰ（１）からの排水をコップ給水受け導管１７を介して、タンク内に導く。したがって、この場合、洗浄コップ１４が不要となる。
【０１２９】
【発明の効果】
以上の説明より理解されるように、本発明によれば、次のような効果が奏される。
請求項１に記載の給水管路の消毒洗浄機能を備えた医療機器によれば、医療器具と給水枝管路部の部分の消毒洗浄を完全に行うことができるとともに、その給水枝管路部などを消毒するために消毒液を注入する消毒液注入管路や消毒液タンクなどを含めて、消毒液の注入されたすべての管路がすすぎ洗浄できる。したがって、消毒洗浄後は、医療機器には、消毒液は一切残っておらず、通常の使用時に、誤動作などで、消毒液が給水に混入することがない。また、消毒液は、消毒に必要な時に、必要な時間だけ、管路系に注入、滞留するだけなので、管路系への消毒液の悪影響を最小限に抑えることができる。
【０１３２】
請求項２に記載の給水管路の消毒洗浄機能を備えた医療機器によれば、請求項１に記載の給水管路の消毒洗浄機能を備えた医療機器の効果に加え、給水源からの給水はフィルタを介して医療器具に供給され、一方、消毒液注入管路は、そのフィルタと切替制御弁を通過後の給水枝管路部に設けられた分岐に通じているので、通常使用時には、医療器具にはフィルタで浄化された清浄水が供給され、また、消毒時には、消毒液は、フィルタに影響を与えない部分の給水枝管路部に注入されるので、消毒液がフィルタを損傷することがない。
【０１３３】
さらに、消毒液は、消毒液注入管路に設けられたポンプなどにより加圧供給されるので、重力を利用して自然落下で消毒液を供給するものなどに比べ、短時間で確実に消毒液が、消毒対象の給水枝管路部と医療器具に注入、充填される。また、消毒液の所定時間の滞留後は、給水源からの給水により、給水枝管路部と医療器具はすすぎ洗浄されるので、通常使用時に、患者に、消毒液の混入した水が供給されることがない。
請求項３に記載の給水管路の消毒洗浄機能を備えた医療機器によれば、シーケンサは、タイマ監視下のもとで、開閉弁、給水元弁などの給水制御機器、消毒液を注入するためのポンプ、切替制御弁などを、予め準備された消毒洗浄のシーケンスプログラムに従って、制御するので、手順の抜け落ちや、順序の前後がなく、消毒洗浄の手順の安全性が高まる。
【０１３４】
また、シーケンサが消毒洗浄を実行している間は、報知ランプが点滅など、また必要に応じてブザーを間欠鳴動するなどして、実行中を示し、終了すると、報知ランプが点灯、また、ブザーが異なる態様で鳴動などして終了を知らせるので、実行中に不必要な動作をすることを避けることができ、また、終了を確認してから、通常使用を始めることができる。
【０１３５】
請求項４に記載の給水管路の消毒洗浄機能を備えた医療機器によれば、請求項３に記載の給水管路の消毒洗浄機能を備えた医療機器の効果に加え、上記シーケンサが消毒洗浄制御を実行中は、治療椅子、治療器具の操作スイッチが操作されても無効にする、セーフティ回路を更に備えているので、消毒洗浄中に、治療椅子などが動いて、消毒洗浄用に所定位置にセットされた医療器具などが脱落して、消毒液などが漏れ出るようなことを防ぐことができる。
【０１３６】
請求項５に記載の給水管路の消毒洗浄機能を備えた医療機器によれば、請求項３に記載の給水管路の消毒洗浄機能を備えた医療機器の効果に加え、治療椅子は、消毒洗浄時には、初期位置に復帰され、その位置から動かなくなるので、安全性が高い。
請求項６に記載の給水管路の消毒洗浄機能を備えた医療機器によれば、請求項３に記載の給水管路の消毒洗浄機能を備えた医療機器の効果に加え、治療椅子が、消毒洗浄に適した初期位置以外にあるときは、警報が出力されるので、安全性が高い。
【０１３７】
請求項７に記載の給水管路の消毒洗浄機能を備えた医療機器によれば、請求項３に記載の給水管路の消毒洗浄機能を備えた医療機器の効果に加え、消毒洗浄の終了を確認するまでは、報知ブザーが鳴動し、終了確認を忘れることがないので、不用意に、通常の給水を開始することがなく、安全性が高い。
請求項８から請求項１３に記載の給水管路の消毒洗浄機能を備えた医療機器によれば、切替制御弁の替わりに連結継手を用い、消毒液タンクとポンプなどからなる消毒液ユニットを医療機器本体に着脱可能にしているので、一つの消毒液ユニットを、複数の医療機器本体に対して付け替えて使用するようにでき、医療機器本体には、消毒液タンクなどの設置場所を設ける必要がなく、医療機器本体を小型化でき、コストダウンにもなる。また、消毒洗浄時だけに使用する消毒液ユニットは、不使用時には、別の所に収納しておくことができ、邪魔にならない。
【０１３８】
また、通常使用時には、消毒液ユニットは、医療機器本体からは完全に切り離されているので、誤動作などで、消毒液が給水管路に混入することを完全に避けることができる。
さらに、比較的に高価な切替制御弁が不要になり、替わりに安価な連結継手を用いることができるので、その点でもコストダウンとなる。
【０１３９】
特に、請求項８に記載の給水管路の消毒洗浄機能を備えた医療機器によれば、着脱可能にした消毒液ユニットを本体部に連結すると、請求項１の医療機器の消毒洗浄時と同じ消毒洗浄の管路系が実現される。したがって、上述の基本的効果に加え、請求項１に記載の医療機器と同様の効果が発揮される。
請求項９に記載の給水管路の消毒洗浄機能を備えた医療機器によれば、給水枝管路部に開口している消毒液注入管路の給水枝管路部に近い部分がすすぎ洗浄され、その後、通常使用時には、この消毒液注入管路の給水枝管路部への接続部分には、消毒液は残っておらず、この部分から、消毒液が給水枝管路部に混入することがない。また、この医療機器では、消毒液タンクには、すすぎ給水は供給されないので、消毒液が希釈されることがなく、消毒液タンクに消毒液を複数回分貯留しておいて使用するのに向いている。したがって、いちいち、消毒洗浄の度に、一回分の消毒液を消毒液タンクに入れる手間を省くことができる。このような効果を、連結継手と着脱可能な消毒液ユニットを用いるもので実現している。
【０１４１】
請求項１０に記載の給水管路の消毒洗浄機能を備えた医療機器によれば、請求項８又は９に記載の給水管路の消毒洗浄機能を備えた医療機器の効果に加え、それぞれの継手などには、逆流防止弁が設けられているので、連結継手などを解除した場合にも、継手などからの給水や消毒液の滴下をふせぐことができ、着脱使用に向いている。
【０１４２】
請求項１１に記載の給水管路の消毒洗浄機能を備えた医療機器によれば、請求項８〜１０のいずれかに記載の給水管路の消毒洗浄機能を備えた医療機器の効果に加え、それぞれの継手などは、ワンタッチ継手であるので、着脱が容易で、消毒液ユニットの着脱が容易になる。
請求項１２に記載の給水管路の消毒洗浄機能を備えた医療機器によれば、請求項８〜１１のいずれかに記載の給水管路の消毒洗浄機能を備えた医療機器の効果に加え、上記消毒液ユニットが、運搬可能なので、複数の医療機器本体に対して消毒液ユニットを持ち運ぶのに便利がよく、また、消毒液ユニットを、それぞれの医療機器のそばに置くことができ、接続のための管路導出をより短くすることができる。
【０１４３】
請求項１３に記載の給水管路の消毒洗浄機能を備えた医療機器によれば、請求項１〜１２のいずれかに記載の給水管路の消毒洗浄機能を備えた医療機器の効果に加え、上記消毒液として、次亜塩素酸ナトリウムを用いることができ、便利であり、給水管路の消毒洗浄を簡単にすることができる。
【図面の簡単な説明】
【図１】本発明の医療機器の一例を構成する管路系の概略構成を示す系統図である。
【図２】本発明の医療機器の参考例としての管路系の概略構成を示す系統図である。
【図３】本発明の医療機器の別の参考例としての管路系の概略構成を示す系統図である。
【図４】本発明の医療機器で用いる消毒液ユニットの他の例を示す管路系統図である。
【図５】本発明のシーケンサを有した医療機器の一例の要部構成を示すブロック図である。
【図６】本発明のシーケンサを有した医療機器の他例の要部構成を示すブロック図である。
【図７】本発明のシーケンサを有した医療機器の更に他例の要部構成を示すブロック図である。
【図８】本発明の医療機器のさらに他例を構成する管路系の概略構成を示す系統図であり、（ａ）はその本体部、（ｂ）は着脱可能な消毒液ユニット、（ｃ）は着脱可能な消毒液ユニットの他例を示している。
【図９】本発明の医療機器のさらに他例を構成する管路系の概略構成を示す系統図であり、（ａ）はその本体部、（ｂ）は着脱可能な消毒液ユニット、（ｃ）は着脱可能な消毒液ユニットの他例を示している。
【図１０】本発明の医療機器のさらに他例を構成する管路系の概略構成を示す系統図であり、（ａ）はその本体部、（ｂ）は着脱可能な消毒液ユニットを示している。
【図１１】（ａ）は本発明の医療機器で用いる洗浄タンクの一例を示す外観斜視図、（ｂ）は、その洗浄タンクに、消毒洗浄のために医療器具をセットした状態を示す縦断面図である。
【図１２】（ａ）は本発明の医療機器で用いる洗浄タンクの他例を示す外観斜視図、（ｂ）は、その洗浄タンクに、消毒洗浄のために医療器具をセットした状態を示す縦断面図である。
【図１３】（ａ）、（ｂ）は本発明の医療機器で用いる洗浄タンクのさらに他例を示す外観斜視図、（ｃ）は、その洗浄タンクを用いた医療器具の消毒洗浄の状態を示す医療機器の外観斜視図である。
【図１４】（ｄ）は、その洗浄タンクをスピットンにセットした状態の縦断面図、（ｅ）は、その洗浄タンクを分割式にした例を示す縦断面図、（ｆ）は、その洗浄タンクを用いた医療器具の消毒洗浄の他例の状態を示す医療機器の外観斜視図である
【図１５】（ａ）は本発明の医療機器で用いる洗浄タンクのさらに他例の使用状態を示す要部縦断面図、（ｂ）は、その洗浄タンクのスピットンへの取り付け部の詳細を示す要部外観斜視図である。
【図１６】（ａ）は本発明の医療機器で用いる洗浄タンクのさらに他例の使用状態を示す外観斜視図である。
【図１】
0003827048.tif 000002
【図２】
0003827048.tif 000003
【図３】
0003827048.tif 000004
【図４】
0003827048.tif 000005
【図５】
0003827048.tif 000006
【図６】
0003827048.tif 000007
【図７】
0003827048.tif 000008
【図８】
0003827048.tif 000009
【図９】
0003827048.tif 000010
【図１０】
0003827048.tif 000011
【図１１】
0003827048.tif 000012
【図１２】
0003827048.tif 000013
【図１３】
0003827048.tif 000014
【図１４】
0003827048.tif 000015
【図１５】
0003827048.tif 000016
【図１６】
0003827048.tif 000017